(57)【要約】　　　（修正有）【課題】パケットベースのリンクを使用してボーダー・セル内の移動ユニットに着呼を送るシステム及び方法を提供する。【解決手段】ボーダセル内の移動ユニット２１４への着呼をサービングモバイル交換センター（ＳＭＳＣ）２０４で受信する。ＳＭＳＣは、着呼に処理リソースを割り振り、音声コーダリソースを識別するデータリンク接続識別子（ＤＬＣＩ）を指定する。ＳＭＳＣは、ＤＬＣＩをボーダモバイル交換センター（ＢＭＳＣ）に送信し、ＢＭＳＣは基地局２０８を介して呼にトラフィックチャネル・リソースを割り当てる。ＢＭＳＣはＤＬＣＩを基地局に提供し、基地局に音声コーダとトラフィックチャネル・リソース間にパケットリンクを確立させる。その後、ＢＭＳＣは移動ユニットの呼び出しを行う。移動ユニットが応答し、ＢＭＳＣがそれをＳＭＳＣに通知すると、ＳＭＳＣは着呼をパケット・リンクに接続し、それにより移動ユニットへの呼経路を完了する。【選択図】図２
2004135298.tif 000002
【特許請求の範囲】
【請求項１】
　複数のモバイル交換センターを含む通信システムにおいて、
　複数のモバイル交換センターのサービング・モバイル交換センター（ＳＭＳＣ）で移動ユニットへの着呼を受信する工程と、
　移動ユニットが、複数のモバイル交換センターのボーダー・モバイル交換センター（ＢＭＳＣ）によってサービスされる位置内にあると判定する工程と、
　ＳＭＳＣで着呼に処理リソースを割り振り、それによりＳＭＳＣで割り振られたリソースを定義する工程と、
　ＢＭＳＣで移動ユニットにトラフィック・チャネル・リソースを割り振り、それによりＢＭＳＣで割り振られたリソースを定義する工程と、
　ＳＭＳＣで割り振られたリソースとＢＭＳＣで割り振られたリソースの間にパケット・リンクを確立する工程と、
　着呼をパケット・リンクに接続し、それにより移動ユニットを着呼に接続する工程と
を含む方法。
【請求項２】
　移動ユニットが、ＢＭＳＣによってサービスされる位置内にあると判定する工程は、
　ＳＭＳＣからＢＭＳＣにシステム間ページング要求を送信する工程と、
　ＢＭＳＣによってサービスされる位置内に移動ユニットがあることを示すシステム間ページング応答をＢＭＳＣからＳＭＳＣによって受信する工程と
を含む請求項１に記載の方法。
【請求項３】
　システム間ページング要求およびシステム間ページング応答は、ＡＮＳＩ−４１互換メッセージを含む請求項２に記載の方法。
【請求項４】
　処理リソースを割り振る工程は、ＳＭＳＣで呼に音声コーダ・リソースを割り振る工程を含む請求項１に記載の方法。
【請求項５】
　トラフィック・チャネル・リソースを割り振る工程は、移動ユニットと、動作上ＢＭＳＣに接続された基地局との間にエア・インタフェースを確立する工程を含む請求項１に記載の方法。
【請求項６】
　パケット・リンクを確立する工程は、
　ＳＭＳＣによって割り振られたリソースのパケット・アドレスを定義するデータ・リンク接続識別子（ＤＬＣＩ）を含むシステム間セットアップ要求をＢＭＳＣからＳＭＳＣに送信する工程と、
　ＤＬＣＩをＢＭＳＣから基地局に送信し、基地局はＤＬＣＩを使用してパケット・リンクを確立する工程と、
　パケット・リンクが確立されたことを示すシステム間セットアップ応答をＢＭＳＣからＳＭＳＣによって受信する工程と
を含む請求項５に記載の方法。
【請求項７】
　システム間セットアップ要求およびシステム間セットアップ応答は、ＡＮＳＩ−４１互換メッセージを含む請求項６に記載の方法。
【請求項８】
　移動ユニットを対象とする着呼をセットアップする方法であって、移動ユニットは、サービング・モバイル交換センター（ＳＭＳＣ）によって制御される基地局に関連付けられた第１の基地局の対象エリアから、ボーダー・モバイル交換センター（ＢＭＳＣ）によって制御される基地局に関連付けられたボーダー基地局の対象範囲に移動しており、方法は、
　着呼のためにＳＭＳＣによって割り当てられた音声コーダ・リソースのパケット・アドレスを示すデータ・リンク接続識別子（ＤＬＣＩ）を含むシステム間セットアップ要求メッセージをＳＭＳＣからＢＭＳＣに送信する工程と、
　ＢＭＳＣによって制御される基地局にＤＬＣＩを送信する工程であって、基地局は移動ユニットと通信するためのトラフィック・チャネルを確立しており、基地局はそれにより音声コーダ・リソースのパケット・アドレスとトラフィック・チャネル間にパケット・リンクを確立する工程と、
　パケット・リンクが確立されたことを示すシステム間セットアップ応答メッセージをＢＭＳＣからＳＭＳＣに送信する工程と、
　ＳＭＳＣにより着呼をパケット・リンクに接続する工程と
を含む方法。
【請求項９】
　システム間セットアップ要求およびシステム間セットアップ応答は、ＡＮＳＩ−４１互換メッセージを含む請求項８に記載の方法。
【請求項１０】
　移動ユニットへの着呼を受信すると、移動ユニットがＳＭＳＣによってサービスされるエリアの外側に移動していることを判定するように動作することができ、着呼に音声処理リソースを割り振るために適合された音声コーダを含むサービング・モバイル交換センター（ＳＭＳＣ）と、
　ＳＭＳＣによる問合せに応答して、移動ユニットが、ＢＭＳＣによってサービスされるエリア内にあることを判定し、移動ユニットがＢＭＳＣによってサービスされるエリア内にあることをＳＭＳＣに通知するように動作することが可能なボーダー・モバイル交換センター（ＢＭＳＣ）と、
　移動ユニットへの無線リンクを提供する、ＢＭＳＣに接続された基地局と、
　ＳＭＳＣが音声コーダのパケット・アドレスをＢＭＳＣに送信し、ＢＭＳＣがそのパケット・アドレスを基地局に送信するのに応答して確立されるパケット・リンクをＳＭＳＣとＢＭＳＣの間に提供するパケット・ネットワークと
を備える通信システム。
【発明の詳細な説明】
【技術分野】
【０００１】
　本発明は、一般には、無線通信システムの分野に関し、より詳細には、ボーダー・セル状況にある移動ユニットがパケットベースのリンクを使用して着呼を受信することを可能にするシステムおよび方法に関する。
【背景技術】
【０００２】
　ボーダー・セルの状況は、無線通信の導入当初から存在した。ボーダー・セルの１シナリオでは、移動ユニットが１つの基地局からの呼び出しを聞いて、別の基地局に呼び出しへの応答を提供する。別のボーダー・セル・シナリオでは、ある基地局に登録された移動ユニットが、ちょうど呼の送達時に、その新しい場所をネットワークに再登録することなく（あるいはネットワークが再登録を認識することなく）別の基地局に移動する。これらのシナリオでは、移動ユニットの場所についてのネットワークの知識が最新のものでないので、ネットワークは移動ユニットに呼を正常に送達することができない。ネットワークは、移動ユニットが最後に登録されたセルに位置するものと認識しているが、移動ユニットは登録以降、別の基地局によってサービスされる新しい場所（ボーダー・セル）に移動している。呼の送達の失敗から生じる最終的な結果は、サービス運営者にとっての収益源の減少である。
【０００３】
　ボーダー・セルの問題が最も深刻になるのは、例えば移動ユニットが異なる通信システム間を移動した場合のように、予期される場所にサービスする基地局と新しい場所にサービスする基地局が、異なるモバイル交換センター（ＭＳＣ）によって制御される場合である。予期される場所と新しい場所にサービスするＭＳＣは、それぞれ、サービングＭＳＣ（「ＳＭＳＣ」）およびボーダーＭＳＣ（「ＢＭＳＣ」）として知られる。これまで、ボーダー・セル問題を克服しようとする試みは、隣接するＭＳＣ／システム間を結ぶ専用の音声回路に依拠してきた。例えば、システム間動作についてのＡＮＳＩ−４１規格は、ボーダー・セルにある移動ユニットを対象とする着呼に中間的な呼経路を提供するためのＳＭＳＣとＢＭＳＣとの間の専用の音声回路の使用について規定する。専用の回路を使用するこのようなリンクは、「回路交換」リンクとして知られる。最終的な呼のセットアップは、ＳＭＳＣに呼が送達された後にＢＭＳＣに対してシステム間の「ハード」ハンドオフが行われるように見え、ＢＭＳＣでその呼のための音声コーダと音声処理のリソースが確立される。
【発明の開示】
【発明が解決しようとする課題】
【０００４】
　生じる問題は、隣接するＭＳＣ／システム間の専用の音声回路は、サービス・プロバイダが購入し、設置し、かつ／または保持するのに比較的コストが高いことである。サービス・プロバイダが、回路交換リンクよりも効率的であると考えられるパケットベースのリンクを使用してボーダー・セル内の移動ユニットに着呼を送達することが望ましい。パケット・リンクの例には、非同期転送モード（ＡＴＭ）、フレーム・リレー、あるいはインターネット・プロトコル（ＩＰ）リンクがある。このようなパケットベースのリンクは、無線業界が従来の回路ベースの交換技術からパケットベースの交換技術へと移行するのに従って多くのネットワークにすでに存在する（あるいは近い将来に存在するようになる）が、現在ボーダー・セルの状況での使用については規定されていない。
【課題を解決するための手段】
【０００５】
　本発明のシステムおよび方法の実施形態は、パケットベースのリンクを使用してボーダー・セル内の移動ユニットに着呼を送達し、それによりサービス・プロバイダがボーダー・セル間を接続する専用の音声回路を購入し、維持する必要性をなくすことを実現する。
【０００６】
　一実施形態では、サービング・モバイル交換センター（ＳＭＳＣ）、ボーダー・モバイル交換センター（ＢＭＳＣ）、およびＳＭＳＣとＢＭＳＣを結ぶパケット・ネットワークを備える通信システムが提供される。ＳＭＳＣは、移動ユニットへの着呼を受信すると、その移動ユニットがそのＳＭＳＣによってサービスされるエリアの外側に移動していることを判定することができる。ＳＭＳＣは、音声処理リソースを着呼のために割り振るために適合された音声コーダを含む。ＢＭＳＣは、ＳＭＳＣの問合せに応答して、移動ユニットがＢＭＳＣのサービス・エリア内にあることを判定し、それをＳＭＳＣに通知することができる。ＳＭＳＣが音声コーダのパケット・アドレスをＢＭＳＣに送信し、ＢＭＳＣが、移動ユニットと通信する基地局にパケット・アドレスを送信するのに応答して、ＳＭＳＣとＢＭＳＣの間にパケット・リンクが確立される。
【０００７】
　別の実施形態では、着呼をボーダー・セルにある移動ユニットに接続する方法が提供される。移動ユニットに対する着呼をＳＭＳＣで受信し、その移動ユニットがＢＭＳＣによってサービスされているかどうかを判定する。ＳＭＳＣで着呼のための処理リソースを割り振り、ＢＭＳＣで移動ユニットのためのトラフィック・チャネル・リソースを割り当てる。ＳＭＳＣで割り振られたリソースとＢＭＳＣで割り振られたリソースの間にパケット・リンクが確立され、着呼がそのパケット・リンクに接続される。
【０００８】
　さらに別の実施形態では、移動ユニットを対象とする着呼をセットアップする方法が提供され、移動ユニットは、サービング・モバイル交換センター（ＳＭＳＣ）によって制御される基地局に関連付けられた第１の基地局の対象範囲から、ボーダー・モバイル交換センター（ＢＭＳＣ）によって制御される基地局に関連付けられたボーダー基地局の対象範囲に移動している。ＳＭＳＣからＢＭＳＣにシステム間セットアップ要求メッセージが送信される。システム間セットアップ要求メッセージは、着呼のためにＳＭＳＣによって割り当てられた音声コーダ・リソースのパケット・アドレスを示すデータ・リンク接続識別子（ＤＬＣＩ）を含む。ＤＬＣＩは、ＢＭＳＣによって制御される基地局に送信され、基地局に、（ＳＭＳＣによって割り当てられた）音声コーダ・リソースのパケット・アドレスと、移動ユニットと通信するトラフィック・チャネルとの間にパケット・リンクを確立させる。ＢＭＳＣは、システム間セットアップ応答メッセージをＳＭＳＣに送信し、パケット・リンクが確立されたことを知らせ、移動ユニットが応答すると、ＳＭＳＣは着呼をパケット・リンクに接続する。
　本発明の前述およびその他の利点は、以下の詳細な説明を読み、図面を参照することにより明らかになろう。
【発明を実施するための最良の形態】
【０００９】
　初めに図１を参照すると、従来技術によるボーダー・セル・シナリオを示す通信システム１００を示している。通信システム１００は、サービングＭＳＣ（「ＳＭＳＣ」）１０４に接続された電話網（図では公衆交換電話網（ＰＳＴＮ）１０２）を備える。ＳＭＳＣ１０４は、ボーダーＭＳＣ（「ＢＭＳＣ」）１０６に近接している。ＳＭＳＣおよびＢＭＳＣはそれぞれ、個々の「セル」または「セル・セクタ」を定義する個々の地理的領域１１０内を移動する移動ユニットに遠隔通信およびその他のサービスを提供する１つまたは複数の基地局１０８（図には１つを示す）に接続されている。（本明細書で使用する場合、用語「ボーダー・セル」または「ボーダーＭＳＣ」は、サービング・セル／ＭＳＣの移動距離内にあるが、必ずしもサービング・セル／ＳＭＳＣに直接隣接しない（あるいは「境界を接しない」）セル／ＭＳＣを意味する。）
【００１０】
　このボーダー・セル・シナリオでは、ＰＳＴＮ１０２が、ＳＭＳＣ１０４の範囲または地理的領域内にあるはずの移動ユニットを対象とする着呼の送信元であるが、移動ユニットは実際にはＢＭＳＣ１０６によって制御されるボーダー・セルに移動している。ボーダー・セル・シナリオを最も明瞭に説明するために、ＢＭＳＣ１０６によって制御／サービスされるボーダー・セル１１０に存在する１つの移動ユニット１１４のみを示している。この例では、移動ユニット１１４が、ＰＳＴＮ１０２からＳＭＳＣ１０４に送られる着呼の対象であると仮定する。（図では「音声／ベアラ経路」と示す矢印で着呼の経路を表している。）
【００１１】
　このボーダー・セル・シナリオにおける着呼は、これらに限定しないが、ＰＳＴＮ１０２を送信元とする、音声、ビデオおよび／またはデータ呼び出し、電子メール、ページング・サービス、ショート・メッセージ・サービス、電子商取引、位置確認サービス、あるいはパケット・データ・サービスを含むことができる。ＰＳＴＮ１０２内で、呼の送信元は、これらに限定しないが、例えば無線または配線式電話機、ファックス機、携帯情報端末（ＰＤＡ）、コンピュータなどを含むことができる。対象となる移動ユニット１１４は、これらに限定しないが、セルラ無線機／電話機、ラップトップ・コンピュータ、双方向ラジオ、ＰＤＡなどを含むことができる。よく知られるように、ＰＳＴＮ１０２は、着呼をＳＭＳＣ１０４に送るための呼の制御、符号化および交換機能を提供する。
【００１２】
　ＰＳＴＮからの呼の送達時に移動ユニット１１４はＳＭＳＣ１０４によってサービスされていることになっているので、呼はＳＭＳＣ１０４に誘導される。これは、例えば、移動ユニット１１４がＳＭＳＣ１０４に登録されており、まだＢＭＳＣ１０６に再登録していない場合に起こる可能性がある。よく知られるように、ＨＬＲ／ＶＬＲデータベース（図示せず）を通信システム１００により維持して、個々の領域内における移動ユニットの位置を追跡する。このボーダー・セルの状況では、ＨＬＲ／ＶＬＲデータは、移動ユニットがＳＭＳＣ１０４によってサービスされていると示す。通信システム１００は、ＨＬＲ／ＶＬＲデータに依存して対象移動ユニットの位置を判定し、したがってＰＳＴＮからの着呼をＳＭＳＣ１０４に誘導する。
【００１３】
　一般に、無線通信は、着呼のフォーマットを無線プロトコルに変換することによって可能になる。移動ユニット１１４は、そのようなプロトコルを使用して、ＲＦリソース１１２を介して基地局１０８と通信する。無線プロトコルの例には、例えば、ＣＤＭＡ（コード分割多重アクセス）、ＴＤＭＡ（時分割多重アクセス）、ＧＳＭ（移動通信用グローバル・システム）、ＧＰＲＳ（ジェネラル・パケット無線サービス）、ＡＭＰＳ（アドバンスト移動電話サービス）、およびＵＭＴＳ（ユニバーサル・テレコミュニケーション・システム）がある。これに限定しないが、例として通信システム１００はＣＤＭＡプロトコルを使用すると仮定する。したがって、この例では、ＲＦリソース１１２はコード分割変調信号を含み、ＳＭＳＣ１０４、ＢＭＳＣ１０６および基地局１０８は、移動ユニット１１４へのＣＤＭＡ呼を処理するための適切なハードウェア、ソフトウェア、および処理機能を備える。ＳＭＳＣ１０４およびＢＭＳＣ１０６の場合、これらのリソースは、ＣＤＭＡ呼を処理するために適合された音声コーダおよびフレーム・セレクタ・リソース１１８を含む。
【００１４】
　ＳＭＳＣ１０４およびＢＭＳＣ１０６はさらに、個々のパケット・スイッチ１２０、Ｔ１／Ｅ１インタフェース１１２、およびフレーム・リレー・インタフェース１２４（図には１つを示す）を含む。パケット・スイッチ１２０は、リンク１２８によりＡＴＭ相互接続ネットワーク１１６に接続される（ＣＤＭＡネットワークで一般的に行われる）。Ｔ１／Ｅ１インタフェース１２２は、ＳＭＳＣ１０４およびＢＭＳＣ１０６を専用の音声回路１２６に接続する（一般にはＴ１またはＥ１リンク）。フレーム・リレー・インタフェース１２４は、ＢＭＳＣ１０６を、ＢＭＳＣ１０６と基地局１０８を結ぶフレーム・リレー・リンク１３０に接続する（ＣＤＭＡネットワークで一般的に行われる）。
【００１５】
　着呼を受信すると、ＳＭＳＣ１０４は移動ユニット１１４を呼び出すが、移動ユニット１１４はその時点ではＢＭＳＣ１０６に関連付けられたエリアに移動しているので、移動ユニットは呼び出しに応答しない。ＳＭＳＣ１０４は、無反応と解釈し、移動ユニット１１４がもはやＳＭＳＣ１０４の範囲内にないと判断する。ＳＭＳＣ１０４は、まだ移動ユニット１１４の実際の位置を知らない。移動ユニット１１４の位置を判定しようと、ＳＭＳＣ１０４は、システム間ページング要求をＢＭＳＣ１０６に送信する。システム間ページング要求に応答して、ＢＭＳＣ１０６は移動ユニット１１４を呼び出す。移動ユニット１１４は、呼び出しに応答し、それにより移動ユニット１１４がＢＭＳＣ１０６の制御範囲内にあることをＢＭＳＣ１０６に知らせる。ＢＭＳＣ１０６は次いで、ＳＭＳＣ１０４にシステム間ページング応答メッセージを送信し、移動ユニット１１４がＢＭＳＣ１０６によってサービスされていることをＳＭＳＣ１０４に知らせる。システム間ページング要求およびシステム間ページング応答は、米国規格協会によって公布されたＡＮＳＩ−４１プロトコル互換であることが好ましい。
【００１６】
　システム間ページング応答に応答して、ＳＭＳＣ１０４は、専用の音声回路１２６を割り振って着呼のための中間リンクをＢＭＳＣ１０６に提供する。ＳＭＳＣ１０４は、ＢＭＳＣ１０６にシステム間セットアップ要求メッセージ（同様にＡＮＳＩ−４１互換）を送信して、中間的な呼の送達に使用する音声回路１２６の識別を知らせる。ＢＭＳＣ１０６は、呼のための音声コーダとフレーム・セレクタ・リソースを提供する。ＢＭＳＣ１０６は次いで、基地局１０８までの接続を確立し、専用の音声回路１２６を基地局接続にリンクする。
【００１７】
　より具体的には、図に示すように、着呼はＴ１／Ｅ１インタフェース１２２からＢＭＳＣのブロック１１８に送られる。ＢＭＳＣは、ブロック１１８のパケット・アドレス（通例はデータ・リンク接続識別子（ＤＬＣＩ）と呼ぶ）を保持するか、または指定し、呼に使用する音声コーダ・リソースを識別する。ＢＭＳＣは、ＤＬＣＩを基地局１０８に通信し、それにより、そのＤＬＣＩをアドレスまたはヘッダとして有するＢＭＳＣに基地局１０８がパケットを送達するためのパケット・リンク１３０を確立し、ＢＭＳＣは、ＤＬＣＩに関連付けられた音声コーダおよびフレーム・セレクタ・リソースを使用してパケットを処理する。
【００１８】
　要約すると、したがって、図１の従来技術による通信システム１００では、専用の音声回路１２６に依拠してボーダー・セル・シナリオにある移動ユニット１１４に着呼を送る。この呼のセットアップは、呼が送達された後にシステム間のハード・ハンドオフが行われるように見え、それにより（移動ユニット１１４が実際に位置する）ボーダー・セルのＢＭＳＣは、呼のために音声コーダとフレーム・セレクタ音声処理リソースを確立する。図２との関連でより詳細に説明するように、本発明の一実施形態は、パケットベースのリンクを使用して、すなわちＳＭＳＣとＢＭＳＣの間にある専用の音声回路に依拠せずに、通信システム２００におけるボーダー・セル・シナリオに対応する。呼のセットアップは、システム間のソフト・ハンドオフの後に主要なセルの移行が行われるように見え、それにより呼の音声コーダおよびフレーム・セレクタ音声処理リソースが、（最初に移動ユニットが位置することになっている）サービングＭＳＣによって確立される。
【００１９】
　図２を参照すると、通信システム２００は、ボーダーＭＳＣ（「ＢＭＳＣ」）２０６に近接したサービングＭＳＣ（「ＳＭＳＣ」）２０４を含む。ＳＭＳＣおよびＢＭＳＣはそれぞれ、図１との関連で説明したのと概ね同様に、個々の地理的領域２１０内を移動する移動ユニットに遠隔通信およびその他のサービスを提供する１つまたは複数の基地局２０８（図には１つを示す）に接続される。
【００２０】
　このボーダー・セル・シナリオでは、ＰＳＴＮ２０２が、移動ユニット２１４を対象とする着呼の送信元である。着呼は初めに（移動ユニット２１４が位置するはずである）ＳＭＳＣ２０４に誘導されるが、移動ユニットはＢＭＳＣ２０６の基地局２０８の対象エリアに移動している。移動ユニット２１４は、ＲＦリソース２１２を介して基地局２０８と通信する。着呼は、これらに限定しないが、ＰＳＴＮ２０２を送信元とする、音声、ビデオおよび／またはデータ呼び出し、電子メール、ページング・サービス、ショート・メッセージ・サービス、電子商取引、位置確認サービス、あるいはパケット・データ・サービスを含むことができる。着呼の送信元は、これらに限定しないが、無線または配線電話機、ファックス機、携帯情報端末（ＰＤＡ）、コンピュータなどを含むことができ、対象移動ユニット２１４は、これらに限定しないが、セルラ無線機／電話機、ラップトップ・コンピュータ、双方向ラジオ、ＰＤＡなどを含むことができる。
【００２１】
　これに限定しないが、例として基地局２０８と移動ユニット２１４はＣＤＭＡプロトコルを使用して通信すると仮定する。したがって、この例では、ＲＦリソース２１２はコード分割変調信号を含み、ＳＭＳＣ２０４、ＢＭＳＣ２０６、基地局２０８および移動ユニット２１４は、ＣＤＭＡ呼を処理するための適切なハードウェア、ソフトウェア、および処理機能を備える。ＳＭＳＣ２０４およびＢＭＳＣ２０６の場合、これらのリソースは音声コーダおよびフレーム・セレクタ・リソース２１８を含む。ただし、理解されるように、ＣＤＭＡ以外のプロトコル（これらに限定しないがＴＤＭＡ、ＧＳＭ、ＧＰＲＳ、ＡＭＰＳおよびＵＭＴＳなど）を使用してもよい。
【００２２】
　ＳＭＳＣ２０４およびＢＭＳＣ２０６はさらに、個々のパケット・スイッチ２２０およびフレーム・リレー・インタフェース２２４（図には１つを示す）を含む。パケット・スイッチ２２０は、リンク２２８によりパケット・ネットワーク２１６に接続される。最大のコスト節減／利益を達成するために、パケット・ネットワーク２１６は、ＣＤＭＡネットワークで一般的に用いられるＡＴＭ相互接続ネットワークなど既存のパケット・ネットワークからなることが好ましい。ただし、一般に、パケット・ネットワーク２１６は、例えばインターネット・プロトコル（ＩＰ）、ＡＴＭあるいはフレーム・リレーなどのパケットベースのプロトコルをサポートする新規または既存の実質的に任意のタイプのネットワークからなることができる。フレーム・リレー・インタフェース２２４は、ＢＭＳＣ２０６を、ＢＭＳＣ２０６と基地局２０８を結ぶフレーム・リレー・リンク２３０に接続する（ＣＤＭＡネットワークで一般的に行われる）。あるいは、ＢＭＳＣ２０６と基地局２０８は、ＩＰ、ＡＴＭ、あるいは回路交換リンクによって接続してもよい。
【００２３】
　先に指摘したように、通信システム２００は、ＳＭＳＣとＢＭＳＣ間の専用の音声回路に依存しない。したがって、図２にはそのような専用の音声回路またはＴ１／Ｅ１インタフェースを示していない。
【００２４】
　図３および図４に、それぞれ、図２に示すタイプの通信システムでパケット・ネットワークを使用してボーダー・セル内の移動ユニットに着呼を送達するためのメッセージ・シーケンスと方法を示す。便宜上、方法（図４）およびメッセージ・シーケンス（図３）を実質的に同時に説明する。図４のステップおよび図３のメッセージは、適用可能な場合には、通信システム２００のＳＭＳＣ２０４、ＢＭＳＣ２０６、基地局２０８および／または移動ユニット２１４中に格納されたソフトウェア・ルーチンを使用して実施される。
【００２５】
　初めに図４を参照すると、この方法はステップ４０２で開始し、ここでＳＭＳＣ２０４は、ＳＭＳＣ２０４によってサービスされるエリアにあることになっている移動ユニット（例えば移動ユニット２１４）に対する着呼を受信する。ステップ４０４で、当技術分野で知られるように、ＳＭＳＣ２０４は移動ユニットを呼び出し、所定の期間応答を待機する。ステップ４０６で呼び出しに応答があったと判定される場合は、移動ユニットが実際にＳＭＳＣ２０４（すなわちＳＭＳＣ基地局（図示せず）と通信する）によってサービスされるエリア内にあることになり、ステップ４０８で、ＳＭＳＣ２０４は、従来の方式で呼を終了するか、ＳＭＳＣ基地局に接続する。ただし、呼び出しに応答がない場合（あるいは少なくとも応答がＳＭＳＣに通信されない場合）、ＳＭＳＣ２０４は、移動ユニットがもはやＳＭＳＣの範囲にないと判断する。ＳＭＳＣ２０４は、まだ移動ユニットの実際の位置を知らない。
【００２６】
　対象移動ユニット２１４の位置を判定しようと、ステップ４１０でＳＭＳＣはシステム間ページング要求３０２をＢＭＳＣ２０６に送信する。ステップ４１２で、システム間ページング要求３０２に応答して、ＢＭＳＣ２０６は移動ユニット２１４を呼び出す。移動ユニット２１４はステップ４１４で呼び出しに応答し、それにより移動ユニット２１４がＢＭＳＣ２０６の制御範囲内にあることをＢＭＳＣ２０６に知らせる。次いでステップ４１６で、ＢＭＳＣ２０６は、移動ユニット２１４のためにトラフィック・チャネルを割り振る。すなわち、ＢＭＳＣ２０６は、着呼をサポートするために、基地局２０８と移動ユニット２１４の間にＲＦリソース２１２を確保する。次いで、ステップ４１８で、ＢＭＳＣ２０６は、ＳＭＳＣ２０４にシステム間ページング応答メッセージ３０４を送信し、移動ユニット２１４がＢＭＳＣ２０６によってサービスされており、パケットベースのセットアップを使用できることを知らせる。システム間ページング要求３０２およびシステム間ページング応答３０４は、米国規格協会によって公布されるＡＮＳＩ−４１プロトコル互換であることが好ましい。
【００２７】
　システム間ページング応答３０４を受信すると、ステップ４２０でＳＭＳＣは呼のためにペイロード処理リソース（例えば音声コーダ、フレーム・セレクタ、ＤＬＣＩ）を割り振る。より具体的には、ＳＭＳＣはブロック２１８（図２）を使用して、呼に使用する音声コーダ・リソースを識別するパケット・アドレス（またはＤＬＣＩ）を確保または指定する。次いで、ステップ４２２で、ＳＭＳＣは、システム間セットアップ要求３０６をＢＭＳＣ２０６に送信する。好ましい実施形態では、システム間セットアップ要求３０６は、ＤＬＣＩをパラメータとして含み、したがって、ＳＭＳＣ２０４が呼にペイロード処理リソースを割り当てたことをＢＭＳＣ２０６に知らせる。
【００２８】
　ステップ４２４で、ＢＭＳＣ２０６は、（ＳＭＳＣから受信した）ＤＬＣＩをＢＭＳＣ基地局２０８に提供する。基地局２０８は、そのＤＬＣＩを使用して、パケット・リンク２３０、２２８を介してＳＭＳＣの音声コーダ／フレーム・セレクタ・ブロック２１８へのパケットベースの呼経路を確立する。パケットベースの呼経路はそれにより、ＳＭＳＣによって割り振られたリソース（例えばＳＭＳＣの音声コーダ／フレーム・セレクタ・リソース）と、ＢＭＳＣによって割り振られたリソース（例えば基地局２０８のトラフィック・チャネル）との間の音声／ベアラ経路を定義する。
【００２９】
　ステップ４２６で、ＢＭＳＣ２０６は移動ユニット２１４に通告を促す（すなわち呼び出しを行う）。ステップ４２８で、ＢＭＳＣ２０６は、ＳＭＳＣ２０４にシステム間セットアップ応答メッセージ３０８を送信し、それにより、ＢＭＳＣ２０６がＳＭＳＣによって割り振られたリソースからＢＭＳＣによって割り振られたリソースまで音声経路をセットアップしたことをＳＭＳＣ２０４に通知する。ステップ４３０で、移動ユニット２１４は、当技術分野でよく知られるように「送信」ボタンを押すかその他の手段により呼に応答する。ステップ４３２で、ＢＭＳＣ２０６は、システム間応答起動メッセージ３１０をＳＭＳＣ２０４に送信し、それによりＳＭＳＣ２０４に移動ユニット２１４が呼に応答したことを通知する。次いでステップ４３４で、ＳＭＳＣ２０４は、システム間返答応答３１２をＢＭＳＣ２０６に送信して移動ユニットの応答を確認する。ＳＭＳＣ２０４は次いで、着呼を音声コーダ／フレーム・セレクタ・ブロック２１８のパケット・リンクに接続し、それにより移動ユニットまでの呼経路を完了する。
【００３０】
　本発明は、その精神または基本的な特徴から逸脱することなく、この他の特定の形態に実施することができる。ここに記載する実施形態は、あらゆる点で単に例証的と解釈すべきであり、制限的なものとは解釈すべきでない。したがって、本発明の範囲は、前述の説明ではなく特許請求の範囲によって示す。特許請求の範囲の均等物の意味および範囲に該当する変更はすべて特許請求の範囲に包含するものとする。
【図面の簡単な説明】
【００３１】
【図１】専用の音声回路を介してボーダー・セルに呼を送達する、従来技術によるボーダー・セル・シナリオを示す通信システムのブロック図である。
【図２】パケット・ネットワークを介してボーダー・セルに呼を送達する、本発明の一実施形態によるボーダー・セル・シナリオを示す通信システムのブロック図である。
【図３Ａ】本発明の一実施形態による、ボーダー・セル状況でＳＭＳＣとＢＭＳＣの間で交換されるＡＮＳＩ−４１メッセージを示すメッセージ・シーケンス図である。
【図３Ｂ】本発明の一実施形態による、ボーダー・セル状況でＳＭＳＣとＢＭＳＣの間で交換されるＡＮＳＩ−４１メッセージを示すメッセージ・シーケンス図である。
【図４】本発明の一実施形態によるパケット・ネットワークを使用してボーダー・セルに着呼を接続する方法のフローチャートである。
【図１】
2004135298.tif 000003
【図２】
2004135298.tif 000004
【図３Ａ】
2004135298.tif 000005
【図３Ｂ】
2004135298.tif 000006
【図４】
2004135298.tif 000007